(57)【要約】【課題】容器の内外両面に独自の図柄等を独立に表わした両面美装容器を提供する。【解決手段】不透明シートを介して表裏両面に図柄等を表わしたラベルを形成し、透明又は半透明材質の容器の外面に前記ラベルの一方の面の図柄等が表われ、容器内面にラベルの他方の面の図柄等が容器の壁を透過して表われるように貼り付ける。【選択図】図４
0003108156.tif 000002
【実用新案登録請求の範囲】
【請求項１】
不透明シートを介して表裏両面に図柄等を表わしたラベルを形成し、透明又は半透明の材質からなる容器外面に前記ラベルの一方の面の図柄等が表われ、容器内面にラベルの他方の面の図柄等が容器の壁を透過して表われるように一体化したことを特徴とする両面美装容器
【請求項２】
プラスチック容器成形枠内に、不透明シートの表裏両面にそれぞれ図柄等を独自に表わしたラベルを挿入し、前記容器成形枠内のラベル内側に透明又は半透明のプラスチック容器材料を流し込んで一体化したインモールド成形加工により成形したことを特徴とする両面美装容器
【考案の詳細な説明】
【技術分野】
【０００１】
本考案は外側、内側両面に図柄等を表わしたプラスチック又はガラス製容器に関し、特に、一枚のラベルの表裏に表わした図柄等が容器の内外両面に独自に表われるようにした両面美装容器に関する。
【背景技術】
【０００２】
近年、多様な即席食品の普及に伴い、各種の即席食品容器が開発されており、中には食卓に並べてそのまま食器として使用されるものが多くなっている。このため、即席食品容器も図柄等を施して食生活を豊かにすることが試みられている。
【考案の開示】
【考案が解決しようとする課題】
【０００３】
従来のこの種の食品容器１０は図５、図６に示すように、表面のみに図柄１１を表わしたラベル１２を容器１０外側面に貼っているため、図７のように容器外面１３には図柄１１が表われるが、容器内面１４は美的配慮がなされていない。
また、立体容器の内面に直接図柄等を描くことはきわめて面倒であり、描かれる図柄も限られてくるほか容器内面に直接描かれた図柄は熱湯などで塗料が溶け出したり、化学反応で内容物が変質するおそれもある。
【０００４】
従って、本考案の目的は、容器の内外両側に図柄、色彩、文字、記号等（以下、図柄等という）が独自に表われ、しかも、内側表面は容器素材のままに保持される両面美装容器を提供することにある。
【課題を解決するための手段】
【０００５】
上記目的を達成するために、本考案の両面美装容器は、不透明シートを介して表裏両面に図柄等を表わしたラベルを形成し、透明又は半透明の材質からなる容器外面に前記ラベルの一方の面の図柄等が表われ、容器内面にラベルの他方の面の図柄等が容器の壁を透過して表われるように一体化したことを特徴とする。
【０００６】
さらに、本考案の両面美装容器は、プラスチック容器成形枠内に、不透明シートの表裏両面にそれぞれ図柄等を独自に表わしたラベルを挿入し、前記容器成形枠内のラベル内側に透明又は半透明のプラスチック容器材料を流し込んで一体化したインモールド成形加工により成形したことを特徴とする。
【考案の効果】
【０００７】
不透明シートを介してラベル両面に表わした図柄等が容器の外面側と内面側に独自に表われるので、簡単な方法で内側にも微細な意匠を施した両面美装容器が得られる。
【０００８】
ラベルをインモールド成形加工により容器外面に一体化したことにより、ラベルにずれがなく剥がれない両面美装容器が得られる。
【０００９】
容器材質の透明度により、容器内面を鮮明な意匠から淡い表現方式の意匠まで変化に富んだ美装に選択することができる。
【００１０】
容器内面の材質はそのままに保持されるので、内容物が変質するおそれがなく、洗浄の際も材質の滑らかさは保持される。
【考案を実施するための最良の形態】
【００１１】
以下、本考案の実施例を添付図面に基づいて説明する。
図１乃至図４は、即席食品や飲料を収納する容器に本考案を適用した実施例を示すもので、図１に示す容器本体１はプラスチック、ガラスなどの素材からなる透明又は半透明の成型容器であって、図の例では円形の底板２と側板３で構成されており、後述する両面図柄ラベルと共にインモールド成形加工により図４の容器８に一体成形されるものである。
【００１２】
図２及び図３は前記容器本体１の側板３の外側面に一体化させるラベル４であり、このラベル４は遮光性のある不透明シート５を基材とし、図２に示すように、この不透明シート５の表面５ａに図柄等６を施してあるとともに、図３に示すように、不透明シート５の裏面５ｂに図柄等７をそれぞれ独自に施してある。
【００１３】
このように、ラベル４は不透明シート５の表裏両面５ａ、５ｂにそれぞれ図柄等６、７を独自に表わしたものであり、不透明シート５は表裏が透けて見えない遮光性シートである。
この不透明シート５は表裏が透けて見えない遮光性シートであればいかなる材質あるいは接合材でもよい。例えば、図の実施例では不透明シート５としてＰＥＴなどのプラスチックフイルムの表裏にアルミを蒸着したアルミ蒸着フイルムを使用しているが、これに限らず、アルミ箔でもよく、また、透明のフイルム又はシート表面に遮光加工を加えて不透明化にしたものでもよい。
【００１４】
不透明シート５に図柄等６、７を表わしてラベル４を形成する方法は、通常は前記シート５の表裏両面印刷を施すのが一般的であるが、これに限らず、シート面に直接図柄等を表わしてもよい。
図の実施例では不透明シート５のアルミ蒸着フイルム面に印刷を施し、さらに、その不透明シートの印刷表裏面にプラスチックフイルムをラミネート加工してラベル４を構成している。
【００１５】
このようにして形成したラベル４を前記容器本体１の外側側面に一体化させることにより、図４の両面美装容器８が形成されるものであるが、ラベル４と容器本体１の一体化は、容器成形枠内にラベル４を挿入し、成形枠内のラベル内側に透明又は半透明のプラスチック容器材料を流し込むインモールド成形によって一体結合するのが好ましい。
この両面美装容器８は、外側面に図２に示したラベル４の表面図柄等６が直接表現されるとともに、容器本体１が透明又は半透明であり、且つ、ラベル４が不透明シート５からなることによって、ラベル４の裏面図柄等７が容器本体１の側板３を透過して表現される。
【００１６】
図の実施例は本考案を即席食品容器に適用する場合を例示したが、本考案はこれに限らず、容器一般に利用することができる。
また、図の実施例は本考案を容器側面部材に適用した場合について説明したが、容器の底板部材や蓋部材に応用することもできる。
【産業上の利用可能性】
【００１７】
本考案は近年普及の著しい即席食品容器に応用することにより、美的付加価値を高めた容器を低コストで大量生産ができるので、家庭の食生活はもとより、外食産業の発展にも寄与する。
【図面の簡単な説明】
【００１８】
【図１】本考案の実施例に使用される容器本体
【図２】図１実施例容器本体に貼付されるラベルの表面展開図
【図３】図１実施例容器本体に貼付されるラベルの裏面展開図
【図４】本考案の実施例による両面美装容器の斜視図
【図５】従来の容器ラベルの表面展開図
【図６】従来の容器ラベルの裏面展開図
【図７】従来の即席食品容器の斜視図
【符号の説明】
【００１９】
１…容器本体
２…底板
３…側板
４…ラベル
５…不透明シート
５ａ…表面
５ｂ…裏面
６、７…図柄等
８…両面美装容器
１０…容器
１１…図柄等
１２…ラベル
１３…外面
１４…内面
【図１】
0003108156.tif 000003
【図２】
0003108156.tif 000004
【図３】
0003108156.tif 000005
【図４】
0003108156.tif 000006
【図５】
0003108156.tif 000007
【図６】
0003108156.tif 000008
【図７】
0003108156.tif 000009